(57)【要約】【課題】従来の清掃布や粘着集塵布はリサイクルが出来ずに、集塵能力が低下した時点で廃棄されてきました。織布や不織布単体の場合はチリやゴミを収容する織布や不織布の間遼が詰まれば集塵能力は低下して廃棄せざるを得なくなり、粘着性のポリマーを塗布した樹脂フィルムや紙等においてもチリやゴミで粘着面が覆われてしまえば同様であった。粘着性をスイッチのごとくＯｎ・Ｏｆｆさせることができれば、粘着したチリやゴミを剥離することが可能となり、再利用することが出来る粘着集塵式の清掃布の提供を目的とする。【解決手段】上記の目的を達成するために、請求項１記載の清掃布は、織布もしくは不織布に温度により粘着性がＯｎ・Ｏｆｆするインテリジェント材料の側鎖結晶性ポリマーを塗布して、任意の温度で粘着と非粘着を切り替える構成とした。【選択図】        図１
2004154333.tif 000002
【特許請求の範囲】
【請求項１】
織布もしくは不織布に側鎖結晶性ポリマーを塗布したことを特徴とする清掃布。
【請求項２】
前記の織布もしくは不織布の片面あるいは両面を起伏のある凹凸状に成型して、側鎖結晶性ポリマーを塗布したことを特徴とする請求項１記載の清掃布。
【請求項３】
請求項１〜２記載の織布もしくは不織布に間欠的に一部分に側鎖結晶性ポリマーを塗布したことを特徴とする請求項１〜２に記載の清掃布。
【請求項４】
前記の織布もしくは不織布に複数個の貫通穴を設けて、側鎖結晶性ポリマーを塗布したことを特徴とする請求項１〜３記載の清掃布。
【発明の詳細な説明】
【０００１】
【発明の属する技術分野】
本発明は、チリやゴミなどを集塵する清掃布に関する。
【０００２】
【従来の技術】
従来から、織布や不織布を用いた清掃布は数多く販売されてきました。例えばキンチョーサッサ等です。これらの織布や不織布は繊維の間遼にゴミやチリなどを絡め取るものであり、繊維の隙間に収容できるような微細な誇りなどの集塵には効果を発揮していた。また、樹脂フィルムや紙等に粘着性のポリマーを塗布して吸着して集塵するタイプの粘着集塵布などが掃除器具に取り付けられて販売されています。
【０００３】
【発明が解決しようとする課題】
従来の清掃布や粘着集塵布はリサイクルが出来ずに、集塵能力が低下した時点で廃棄されてきました。
【０００４】
織布もしくは不織布単体の場合はチリやゴミを収容する織布や不織布の間遼が詰まれば集塵能力は低下して廃棄せざるを得なくなり、粘着性のポリマーを塗布した樹脂フィルムや紙等においてもチリやゴミで粘着面が覆われてしまえば同様であった。粘着性をスイッチのごとくＯｎ・Ｏｆｆさせることができれば、粘着したチリやゴミを剥離することが可能となり、再利用することが出来る粘着集塵式の清掃布の提供を目的とする。
【０００５】
【課題を解決するための手段】
上記の目的を達成するために、請求項１記載の清掃布は、織布もしくは不織布に温度により粘着性がＯｎ・Ｏｆｆするインテリジェント材料の側鎖結晶性ポリマーを塗布して、任意の温度で粘着と非粘着を切り替える構成とした事を特徴とする請求項１記載の清掃布。
【０００６】
このように構成することにより粘着性を維持する温度帯で集塵作業を行い。加熱若しくは冷却して非粘着性を示す温度帯に前記清掃布を置く事により、集塵したチリやゴミなどを剥離して、再利用することを可能にした。さらに、不織布においては繊維に側鎖結晶性ポリマーが塗布されたことにより、不織布を構成する繊維が強靭に接合されることになり、不織布を基材とした清掃布の耐久性を大幅に向上した。
【０００７】
また、請求項２記載の清掃布は、請求項１記載の織布もしくは不織布の表面に凹凸を設けるように形成して、側鎖結晶性ポリマーを塗布する構成とした。
【０００８】
このように構成することにより、平らな床面などに清掃布を使用する際に、清掃布のスムースな可動を確保でき、更には凹凸に形成された凸面に付着したチリやゴミで凸面の粘着性がなくなったとしても、凹面に粘着集塵されるため集塵面を平らに構成したものより集塵面が広くなり、同じサイズでありながらより多くの集塵を可能とした。
【０００９】
請求項３記載の清掃布では請求項１〜２記載の織布もしくは不織布に間欠的に一部分に側鎖結晶性ポリマーを塗布する構成を採用した。
【００１０】
このように構成することにより、生地である織布もしくは不織布に液体の浸透を可能とし、更には織布もしくは不織布を液体の担体として水やワックスなどの液体を保水する事を可能としたことを特徴とする清掃布。
【００１１】
更に請求項４記載の清掃布では請求項１〜３記載の織布もしくは不織布に複数個の貫通穴を設けて、側鎖結晶性ポリマーを塗布した構成とした。
【００１２】
このように構成すれば、粘着面にチリやゴミが付着して粘着性が低下したとしても、複数個の貫通穴よりチリやゴミなどが押し出されて、被清掃部の裏面にあたる面に排出して集塵することが出来る。
【００１３】
【発明の実施の形態】
本発明をより具体的に示すため、添付の図を参考にして実施例を以下に示す。
【００１４】
【実施例１】
本実施例では、請求項１〜４の各発明について、各々図１、図２、図３、図４を参考にして説明する。また、本実施例では米国ランデック社製の商標インテリマーである側鎖結晶性ポリマー（Ｓｉｄｅ−Ｃｈａｉｎ  Ｃｒｙｓｔａｌｌｉｚａｂｌｅ  Ｐｏｌｙｍｅｒ）を使用して、粘着性を有するアモルファス状にある側鎖結晶性ポリマーの温度を４５度以下とし、非粘着性を示すクリスタル状態へ側鎖結晶性ポリマーが移行する温度を４５度以上として設定した本発明の清掃布を使用した例を示すが、アモルファス状態からクリスタライズに移行する温度設定は任意で何度に定めても良い。
【００１５】
請求項１の発明の実施形態の一例を図１に示しています。この実施例では不織布（１）の片面に側鎖結晶性ポリマー（３）を塗布して清掃布を構成していますが、両面共に塗布しても良い。このように構成された清掃布は絨毯や衣類などに付着した繊維及び髪の毛などを粘着して容易に除去する事ができ、４５度以上に加熱した湯などで洗えば容易に被粘着物を除去することができるので、乾燥させて再利用することができる。また、お湯以外の加熱手段を使用して被粘着物を取り除いても良い。
【００１６】
【実施例２】
本実施例では請求項２の発明を図２を参考にして説明します。不織布（１）の補強材である不織布のワイヤー（２）を太くすることにより、不織布（１）の表面に凹凸をつけて粗く成型した表面に側鎖結晶性ポリマー（３）を塗布する構成を示しています。このように構成することで、テーブルや床などの平坦な面に使用する際に必要以上に床材に粘着しなくなり、すべりの良い清掃布を構成することができる。さらに、床面と接触していない部分は空洞状となり、その空洞部にチリやゴミなどを効率よく粘着して保持することができて、清掃布の集塵効率を高めることができる。
【００１７】
【実施例３】
本実施例では請求項３の発明を図３を参考に説明します。不織布（１）に間欠的に一部分に側鎖結晶性ポリマー（３）を塗布した構成を示しています。このように構成することで水などを不織布（１）に担持する事ができ、手や清掃用の機器を用いて清掃布に圧力を加えることにより、担持された水が不織布（１）より押し出されて、側鎖結晶性ポリマー（３）の塗布層に供給されてアモルファス状態の側鎖結晶性ポリマー（３）により水分は床面に押し広げられて、水の表面張力により床面から浮き上がった微細なチリを側鎖結晶性ポリマー（３）に粘着して集塵し、雑巾がけを行ったのと同様の清掃効果を得ることが可能となる。実施例１及び２と同様に４５度以上の熱を加えることにより被粘着物であるチリやゴミを容易に除去することが可能であり、繰り返して使用することができる。また、側鎖結晶性ポリマー（３）の塗布面の裏面に粘着テープなどを配置して清掃機器に貼り付けて使用しても良い。そして、水の変わりに液体洗剤や液体ワックスなどを使用すればより一層の清掃効果を得ることができる。
【００１８】
【実施例４】
本実施例では請求項４の発明を図４を参考にして説明する。請求項１〜３記載の不織布（１）に複数個の貫通穴（４）を設けて、側鎖結晶性ポリマー（３）を塗布して構成とした。このように構成することで、粘着面にチリやゴミが付着して粘着性が低下したとしても、複数個の貫通穴（４）よりチリやゴミなどが押し出されて、被清掃部の裏面にあたる面に排出して集塵することが出来る。もちろん清掃用機器の集塵用の清掃布として使用しても良い。清掃用の機器については多種多様な形状があるため図示を省略した。
【００１９】
【発明の効果】
本発明の清掃布は所望の温度を境にして粘着性と被粘着性が切り替わり、粘着性を有する温度帯で粘着集塵し、過熱若しくは冷却を行い非粘着性を有する温度帯に移行することにより、粘着集塵したチリやゴミを剥離して除去することを実現した。この事により、再利用することが容易に可能となり、経済性に優れている上に、多様な掃除の形態に対応できる強度を得ることができた。
【図面の簡単な説明】
【図１】は、請求項１の発明の斜視断面図
【図２】は、請求項２の発明の斜視断面図
【図３】は、請求項３の発明の斜視図
【図４】は、請求項４の発明の斜視断面図
【符号の説明】
（１）不織布
（２）不織布のワイヤー
（３）側鎖結晶性ポリマー
（４）貫通穴
【図１】
2004154333.tif 000003
【図２】
2004154333.tif 000004
【図３】
2004154333.tif 000005
【図４】
2004154333.tif 000006